(57)【要約】【課題】ホースリールにおいて、ハンドルにより多孔管を回転筒に巻き取り、水を使用する時は蛇口に連接されたホースカバーをカバーの入水管に連接し、並びに使用時の必要により多孔管の一部或いは全部を引き出し、多孔管を巻き取る面倒と不便を解消し、使用完了後に直接多孔管をホルダ内に巻き取り収納できるようにする。【解決手段】ホルダ内の中心位置に回転筒と可動曲げ管が設けられ、並びにホルダの一側面に入水管を具えたカバーが設けられ、またホルダの別側面に回転筒を駆動するハンドルが設けられ、別に多孔管の一端に管継手が設けられ、該多孔管が管継手により可動曲げ管に組み付けられている。【選択図】　　　　図１
0003098676.tif 000002
【実用新案登録請求の範囲】
【請求項１】
ホースリールにおいて、該ホースリールはホルダ、カバー、回転筒、ハンドル、可動曲げ管、多孔管を具え、
該ホルダは、上ホルダと下ホルダで組成され、
該カバーは、上ホルダの一側面に固定され、該カバーに入水管が設けられ、該入水管が蛇口との連接に供され、
該回転筒は、上ホルダ、下ホルダの中心位置に枢接され、回転筒の円周面に切欠きが設けられ、並びに回転筒の両端近い部分にフランジが設けられ、回転筒がホルダ内で回転可能とされ、
該ハンドルは、ホルダの別側面に取り付けられ、並びに回転筒と連接固定され、該ハンドルを回すことにより回転筒を回転させられ、
該可動曲げ管は、回転筒内の中心位置に固定され、該可動曲げ管が該回転筒と一体に回転し、該可動曲げ管が入水管と出水管を具え、該出水管に雄ネジが設けられ、該可動曲げ管の入水管の上端にシールリングが套設され、並びに前述のホルダの入水管内に挿入され、該可動曲げ管の入水管がカバーの入水管に連接され、
該多孔管は、管継手により可動曲げ管の出水管に連接され、該多孔管は管径が押しつぶされない編成軟管とされ、該管継手は連接管、ナット及び左右対称なクランプヘッドで組成され、連接管がナットに通され並びに多孔管の一端に挿入され、さらに二つのクランプヘッドで連接管が挟持され、管継手が多孔管の一端に組み付けられ、該多孔管が管継手のナットにより可動曲げ管の出水管の雄ネジに組み付けられ、
以上を特徴とする、ホースリール。
【請求項２】
請求項１記載のホースリールにおいて、ホルダの上ホルダと下ホルダに開溝が設けられ、多孔管が全て引き出された後、カバーを開いて管継手を可動曲げ管より取り外して、多孔管を該開溝或いはより取り出して単独で多孔管を使用することができることを特徴とする、ホースリール。
【請求項３】
請求項１記載のホースリールにおいて、ホルダに複数の輻射状板が設けられ、そのうち一つの輻射状板の末端に係止口が設けられ、ホルダが係止口により壁に固定された壁ホルダに固定可能とされ、該壁ホルダはコ形のフレームと該フレームに枢接されたブロック体、及び蓋板で組成され、該ブロック体に溝口が設けられ、該溝口内に形状が係止口に対応する柱体が設けられ、且つブロック体の溝口の両側に滑り溝が設けられ、二つの滑り溝の間に蓋板が取り付けられてなり、ホルダの係止口を具えた輻射状板がブロック体の溝口内に挿入され、並びに溝口内の柱体が輻射状板の係止口と係合させられ、蓋板が溝口に閉じ合わされ、ホルダが壁ホルダに組み付けられ、ホルダがコ形のフレーム内に枢接されたブロック体により壁面に当接するよう回転させられて収納に便利とされたことを特徴とする、ホースリール。
【考案の詳細な説明】
【０００１】
【考案の属する技術分野】
本考案は一種のホースリールに係り、特に、多孔管を巻き取るための巻き取り器であり使用時の必要により多孔管の一部或いは全部を引き出すことができ、多孔管の収納の面倒と不便を解消したホースリールに関する。
【０００２】
【従来の技術】
一般に車或いは窓ガラスを洗う時、或いは臨時に短距離の送水を行なう時、或いは庭に水やりをする時、通常はホースを蛇口に連接し、ホースで水をひいて車や窓ガラスを洗うか、或いは水を運送し、不使用時には直接ホースを巻き取り、縄で括り、収納し、次に使用する時、縄を解き、ホースを全部開放しなければならないが、これは使用上、面倒で不便であり、使用者に煩わしさをもたらした。
【０００３】
図１２に示されるようなホースリールが提供され、それは、平板状のホルダａにホースｂを巻き取るもので、このホースｂはホルダａに巻き取られた後、扁平に押しつぶされている。このため、使用時にはホースｂをホルダより全部引き出してからでなければ水源に連接できない。しかしホースｂの長さが非常に長く、使用時にそれほどの長さが必要ない場合でもホースｂを全部引き出さねば水を流すことができないため、使用上、面倒で不便であり、使用上の煩わしさをもたらした。
【０００４】
図１３及び図１４は別の周知の構造を示し、それはホルダｃに回転筒ｄが設けられ、該回転筒ｄの側辺にクランクハンドルｅが設けられ、また回転筒ｄの側辺に軸管ｆが設けられ、ホースｇ１の一端が軸管ｆの内端に連接され、該軸管ｆの外端が別のホースｇ２を介して蛇口（図示せず）に連接されている。クランクハンドルｅにより回転筒ｄを駆動して回転させ、ホースｇ１を回転筒ｄに巻き取ることができ、該ホースｇ１の断面は押しつぶされずフレキシブルな管体とされる。使用時には蛇口に連接されたもう一つのホースｇ２が軸管ｆの外端に連接され、さらにホースｇ１が引き出され並びに蛇口が開放されて使用される。
【０００５】
該ホースｇ１は押しつぶされないため、水流は軸管ｆを経由してホースｆ１に導入され、該ホースｆ１は必ずしも全部引き出さなくても使用できる。しかしホースｇ１を巻き取るホルダｃと回転筒ｄの体積が大きく、収納に不便であり、且つその体積が大きいために運搬して使用するのに不便であり、ゆえに使用上、不便なところがあり改善が求められている。
【０００６】
【考案が解決しようとする課題】
本考案は周知のホースリールに上述の欠点があることを鑑み、構想に着手し、ついに一種のホースリールを設計した。それは、ホルダ内の中心位置に回転筒と可動曲げ管が設けられ、並びにホルダの一側面に入水管を具えたカバーが設けられ、またホルダの別側面に回転筒を駆動するハンドルが設けられ、別に多孔管の一端に管継手が設けられ、該多孔管が管継手により可動曲げ管に組み付けられ、以上の構造により、ハンドル操作により多孔管を回転筒に巻き取ることができ、水を使用する時は蛇口に連接されたホースカバーをカバーの入水管に連接し、並びに使用時の必要により多孔管の一部或いは全部を引き出して使用でき、多孔管を巻き取る面倒と不便を解消し、使用完了後に直接多孔管をホルダ内に巻き取り収納できるものとされる。
【０００７】
ゆえに、本考案の主要な目的は、一種の多孔管を巻き取るためのホースリールを提供し、使用時の必要により多孔管を一部或いは全部引き出すことができるようにし、多孔管の収納と使用の面倒と不便を免除することにある。
【０００８】
【課題を解決するための手段】
請求項１の考案は、ホースリールにおいて、該ホースリールはホルダ、カバー、回転筒、ハンドル、可動曲げ管、多孔管を具え、
該ホルダは、上ホルダと下ホルダで組成され、
該カバーは、上ホルダの一側面に固定され、該カバーに入水管が設けられ、該入水管が蛇口との連接に供され、
該回転筒は、上ホルダ、下ホルダの中心位置に枢接され、回転筒の円周面に切欠きが設けられ、並びに回転筒の両端近い部分にフランジが設けられ、回転筒がホルダ内で回転可能とされ、
該ハンドルは、ホルダの別側面に取り付けられ、並びに回転筒と連接固定され、該ハンドルを回すことにより回転筒を回転させられ、
該可動曲げ管は、回転筒内の中心位置に固定され、該可動曲げ管が該回転筒と一体に回転し、該可動曲げ管が入水管と出水管を具え、該出水管に雄ネジが設けられ、該可動曲げ管の入水管の上端にシールリングが套設され、並びに前述のホルダの入水管内に挿入され、該可動曲げ管の入水管がカバーの入水管に連接され、
該多孔管は、管継手により可動曲げ管の出水管に連接され、該多孔管は管径が押しつぶされない編成軟管とされ、該管継手は連接管、ナット及び左右対称なクランプヘッドで組成され、連接管がナットに通され並びに多孔管の一端に挿入され、さらに二つのクランプヘッドで連接管が挟持され、管継手が多孔管の一端に組み付けられ、該多孔管が管継手のナットにより可動曲げ管の出水管の雄ネジに組み付けられ、
以上を特徴とする、ホースリールとしている。
請求項２の考案は、請求項１記載のホースリールにおいて、ホルダの上ホルダと下ホルダに開溝が設けられ、多孔管が全て引き出された後、カバーを開いて管継手を可動曲げ管より取り外して、多孔管を該開溝或いはより取り出して単独で多孔管を使用することができることを特徴とする、ホースリールとしている。
請求項３の考案は、請求項１記載のホースリールにおいて、ホルダに複数の輻射状板が設けられ、そのうち一つの輻射状板の末端に係止口が設けられ、ホルダが係止口により壁に固定された壁ホルダに固定可能とされ、該壁ホルダはコ形のフレームと該フレームに枢接されたブロック体、及び蓋板で組成され、該ブロック体に溝口が設けられ、該溝口内に形状が係止口に対応する柱体が設けられ、且つブロック体の溝口の両側に滑り溝が設けられ、二つの滑り溝の間に蓋板が取り付けられてなり、ホルダの係止口を具えた輻射状板がブロック体の溝口内に挿入され、並びに溝口内の柱体が輻射状板の係止口と係合させられ、蓋板が溝口に閉じ合わされ、ホルダが壁ホルダに組み付けられ、ホルダがコ形のフレーム内に枢接されたブロック体により壁面に当接するよう回転させられて収納に便利とされたことを特徴とする、ホースリールとしている。
【０００９】
【考案の実施の形態】
図１から図５に示されるように、本考案はホルダ１、カバー２、回転筒３、ハンドル４、可動曲げ管５、多孔管６を具えている。
【００１０】
該ホルダ１は、上ホルダ１１と下ホルダ１２で組成されている。
【００１１】
該カバー２は、上ホルダ１１の一側面に固定され、該カバー２に入水管２１が設けられ、該入水管２１が蛇口との連接に供される。
【００１２】
該回転筒３は、上ホルダ１１、下ホルダ１２の中心位置に枢接され、回転筒３の円周面に切欠き３１が設けられ、並びに回転筒３の両端近い部分にフランジ３２が設けられ、回転筒３がホルダ１内で回転可能とされている。
【００１３】
該ハンドル４は、ホルダ１の別側面に取り付けられ、並びに回転筒３と連接固定され、該ハンドル４を回すことにより回転筒３を回転させられる。
【００１４】
該可動曲げ管５は、回転筒３内の中心位置に固定され、該可動曲げ管が該回転筒３と一体に回転し、該可動曲げ管５が入水管５１と出水管５２を具え、該出水管５２に雄ネジ５２ａが設けられ、該入水管５１の上端にシールリング５３が套設され、並びに前述のホルダ２の入水管２１内に挿入され、該可動曲げ管５の入水管５１がカバー２の入水管２１に連接される。
【００１５】
該多孔管６は、管継手６１により可動曲げ管５の出水管５２に連接され、該多孔管６は管径が押しつぶされない編成軟管とされ、該管継手６１は連接管６１ａ、ナット６１ｂ及び左右対称なクランプヘッド６１ｃで組成され、先ず連接管６１ａがナット６１ｂに通され並びに多孔管６の一端に挿入され、さらに二つのクランプヘッド６１ｃで連接管６１ａが挟持され、管継手６１が多孔管６の一端に組み付けられ、該多孔管６が管継手６１のナット６１ｂにより可動曲げ管５の出水管５２の雄ネジ５２ａに組み付けられる。
【００１６】
以上の構造により、該多孔管６の一端に管継手６１が取り付けられ、該管継手６１のナット６１ｂが連接管６１ａの内管端に套設され、ナット６１ｂが連接管６１ａに対して回転自在とされ、こうしてナット６１ｂにより多孔管６が可動曲げ管５の出水管５２の雄ネジ５２ａに組み付けられる。これにより回転筒３側辺に固定されたハンドル４により回転筒３を駆動して回転させて、多孔管６を回転筒３に巻き取ることができる。
【００１７】
さらに、該可動曲げ管５はホルダ１内の中心位置に位置する回転筒３内に固定され、且つ可動曲げ管５の入水管５１がカバー２の入水管２１内に挿入される時、可動曲げ管５が固定されて不動の入水管２１内で回転可能とされる。該カバー２の入水管２１は蛇口に連接可能な水管とされ、また該可動曲げ管５の出水管５２が管継手６１により多孔管６に連接され、且つ多孔管６が管径が押しつぶされない編成軟管とされるため、使用時に、必要により多孔管６を一部或いは全部引き出して使用でき、これにより周知の平板状のホルダａ上に巻き取られるホースが押しつぶされるために使用に不便である問題を解消する。
【００１８】
また該ホルダ１は扁平ケース体とされ、ゆえに体積を縮小でき場所を取らず収納に便利であり、別の周知の構造の体積が過大であり使用に不便である問題を解決する。
【００１９】
図１及び図２に示されるように、該ホルダ１の上ホルダ１１と下ホルダ１２に開溝１１ａ、１２ａが設けられ、多孔管６が全て引き出された後、カバー２を開いて管継手６１を可動曲げ管５より取り外して、多孔管６を該開溝１１ａ或いは１２ａより取り出すことができ、単独で多孔管６を使用することができ、使用者の使用上の必要により、良好な使用効果を提供できる。これは本考案の別の使用状態であり、参考までに提示した。
【００２０】
図６に示されるように、該ホルダ１には複数の輻射状板１３が設けられ、そのうち一つの輻射状板１３の末端に係止口１３ａが設けられ、ホルダ１が係止口１３ａにより壁に固定された壁ホルダ７に固定可能とされる。図７に示されるように、該壁ホルダ７はコ形のフレーム７１と該フレーム７１に枢接されるブロック体７２、及び蓋板７３で組成され、該ブロック体７２に溝口７２ａが設けられ、該溝口７２ａ内に形状が係止口１３に対応する柱体７２ｂが設けられ、且つブロック体７２の溝口７２ａの両側に滑り溝７２ｃが設けられ、二つの滑り溝７２ｃの間に蓋板７３が取り付けられてなる。図８に示されるように、取り付け時には、先ず蓋板７３が図面の左側にスライドさせられ、その後、ホルダ１の係止口１３ａを具えた輻射状板１３がブロック体７２の溝口７２ａ内に挿入され、並びに溝口７２ａ内の柱体７２ｂが輻射状板１３の係止口１３ａと係合させられ、さらに蓋板７３が図の右側にスライドさせられ、これは図９に示されるようであり、こうして蓋板７３が溝口７２ａに閉じ合わされ、これは図１０に示されるようであり、こうしてホルダ１が壁ホルダ７に組み付けられ、ホルダ１がコ形のフレーム７１内に枢接されたブロック体７２により壁面に当接するよう回転させられて収納に便利とされ、これは図１１に示されるようであり、これは本考案の別の使用形態であり、参考までに提示した。
【００２１】
【考案の効果】
総合すると、本考案に記載の構造は従来にはなく、且つ確実に上述の効果を達成し、ゆえに実用新案登録の要件を満たしている。
【図面の簡単な説明】
【図１】本考案の斜視図である。
【図２】本考案の分解斜視図である。
【図３】本考案の正面図である。
【図４】図３のＡ−Ａ断面図である。
【図５】図４の局部拡大断面図である。
【図６】本考案のホルダと壁ホルダの立体分解図である。
【図７】本考案の壁ホルダの立体分解図である。
【図８】本考案のホルダを壁ホルダに取り付ける順序図である。
【図９】本考案のホルダを壁ホルダに取り付ける順序図である。
【図１０】本考案のホルダを壁ホルダに取り付ける順序図である。
【図１１】本考案のホルダを壁に当接させる状態表示図である。
【図１２】周知の技術の斜視図である。
【図１３】別の周知の技術の斜視図である。
【図１４】図１３の断面図である。
【符号の説明】
１　ホルダ　　　　　　１１　上ホルダ
１１ａ　開溝　　　　　１２　下ホルダ
１２ａ　開溝　　　　　１３　輻射状板
１３ａ　係止口　　　　２　カバー
２１　入水管　　　　　３　回転筒
３１　切欠き　　　　　３２　フランジ
４　ハンドル　　　　　５　可動曲げ管
５１　入水管　　　　　５２　出水管
５２ａ　雄ネジ　　　　５３　シールリング
６　多孔管　　　　　　６１　管継手
６１ａ　連接管　　　　６１ｂ　ナット
６１ｃ　クランプヘッド　７　壁ホルダ
７１　フレーム　　　　　７２　ブロック体
７２ａ　溝口　　　　　　７２ｂ　柱体
７２ｃ　滑り溝　　　　　７３　蓋板
【図１】
0003098676.tif 000003
【図２】
0003098676.tif 000004
【図３】
0003098676.tif 000005
【図４】
0003098676.tif 000006
【図５】
0003098676.tif 000007
【図６】
0003098676.tif 000008
【図７】
0003098676.tif 000009
【図８】
0003098676.tif 000010
【図９】
0003098676.tif 000011
【図１０】
0003098676.tif 000012
【図１１】
0003098676.tif 000013
【図１２】
0003098676.tif 000014
【図１３】
0003098676.tif 000015
【図１４】
0003098676.tif 000016